【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
撮影レンズを保持するレンズ移動枠と、
前記レンズ移動枠を前記撮影レンズの光軸方向に沿って往復直線移動可能に支持する鏡筒と、
前記レンズ移動枠にＮ極とＳ極が前記往復直線移動される方向に沿って交互に着磁されて形成された着磁面と、
前記鏡筒の取り付け部に設けられ前記着磁面を検出することで前記レンズ移動枠の移動量に対応する検出信号を生成する磁気抵抗センサ装置とを備え、
前記磁気抵抗センサ装置は、
感受面を有する磁気抵抗センサと、
前記感受面を露出させて前記磁気抵抗センサが取り付けられた本体と、
前記感受面と直交する方向に前記本体に挿通され前記感受面を前記着磁面に臨ませて前記本体を前記取り付け部に取り付ける単一のねじと、
前記本体に複数設けられ前記感受面と直交する方向に弾性変形可能で前記単一のねじにより前記本体が前記取り付け部に取り付けられた状態で前記取り付け部に接触して弾性変形され前記取り付け部に対して全て同一の量で弾性変形された状態で前記感受面を前記着磁面に平行させる弾性片とを備え、
前記複数の弾性片は、前記各弾性片が同一の量で弾性変形された状態で、前記ねじが挿通される前記本体の箇所に対して作用する各弾性片によるモーメントの和が零となるように構成されている、
ことを特徴とするレンズ鏡筒。
【請求項２】
前記感受面と直交する方向に前記本体を移動可能にガイドするガイドピンが前記取り付け部に設けられていることを特徴とする請求項１記載のレンズ鏡筒。
【請求項３】
前記本体は、前記往復直線移動される方向に対して直交する方向の幅を有し、前記単一のねじが前記本体に挿通される箇所は、前記幅の中心を通り前記往復直線移動される方向に沿って延在する本体の中心線上に位置していることを特徴とする請求項１記載のレンズ鏡筒。
【請求項４】
前記本体は、前記往復直線移動される方向に沿った幅を有し、前記単一のねじが前記本体に挿通される箇所は、前記幅の中心を通り前記往復直線移動される方向と直交する方向に延在する本体の中心線上に位置していることを特徴とする請求項１記載のレンズ鏡筒。
【請求項５】
前記取り付け部は、前記感受面と平行する単一平面上を延在する取り付け面と、前記感受面よりも大きい輪郭で形成された開口とを有し、前記感受面は前記開口から前記着磁面に臨み、前記複数の弾性片はそれらの先端が前記取り付け面に接触することを特徴とする請求項１記載のレンズ鏡筒。
【請求項６】
前記取り付け部は、前記感受面と平行する単一平面上を延在する取り付け面と、前記感受面よりも大きい輪郭で形成された開口とを有し、前記取り付け面は前記開口の両側に位置するように設けられ、前記感受面は前記開口から前記着磁面に臨み、前記複数の弾性片のうちの幾つかの弾性片は、その先端が前記開口の両側の前記取り付け面のうちの一方の取り付け面に接触し、前記複数の弾性片の残りの弾性片は、その先端が前記開口の両側の前記取り付け面のうちの他方の取り付け面に接触することを特徴とする請求項１記載のレンズ鏡筒。
【請求項７】
前記取り付け部は、前記感受面と平行する単一平面上を延在する取り付け面と、前記感受面よりも大きい輪郭で形成された開口とを有し、前記感受面は前記開口から前記着磁面に臨み、前記複数の弾性片はそれらの先端が前記取り付け面に接触し、前記単一のねじが螺合されるねじ孔が前記取り付け面に形成されていることを特徴とする請求項１記載のレンズ鏡筒。
【請求項８】
前記取り付け部は、前記感受面と平行する単一平面上を延在する取り付け面と、前記感受面よりも大きい輪郭で形成された開口とを有し、前記感受面は前記開口から前記着磁面に臨み、前記複数の弾性片はそれらの先端が前記取り付け面に接触し、前記単一のねじが螺合されるねじ孔と前記ガイドピンが前記取り付け面に形成されていることを特徴とする請求項２記載のレンズ鏡筒。
【請求項９】
前記感受面は長方形状を呈し、前記磁気抵抗センサ装置は前記感受面の長辺を前記往復直線移動される方向に平行させて前記取り付け部に取り付けられていることを特徴とする請求項１記載のレンズ鏡筒。
【請求項１０】
前記感受面は長方形状を呈し、前記磁気抵抗センサ装置は前記感受面の短辺を前記往復直線移動される方向に平行させて前記取り付け部に取り付けられていることを特徴とする請求項１記載のレンズ鏡筒。
【請求項１１】
前記本体および弾性片は合成樹脂製で型により一体成形されていることを特徴とする請求項１記載のレンズ鏡筒。
【請求項１２】
撮像素子に被写体像を導く撮影レンズと、前記撮影レンズを保持するレンズ移動枠と、前記レンズ移動枠を前記撮影レンズの光軸方向に沿って往復直線移動可能に支持する鏡筒とを有するレンズ鏡筒と、
前記レンズ移動枠にＮ極とＳ極が前記往復直線移動される方向に沿って交互に着磁されて形成された着磁面と、
前記鏡筒の取り付け部に設けられ前記着磁面を検出することで前記レンズ移動枠の移動量に対応する検出信号を生成する磁気抵抗センサ装置とを備え、
前記磁気抵抗センサ装置は、
感受面を有する磁気抵抗センサと、
前記感受面を露出させて前記磁気抵抗センサが取り付けられた本体と、
前記感受面と直交する方向に前記本体に挿通され前記感受面を前記着磁面に臨ませて前記本体を前記取り付け部に取り付ける単一のねじと、
前記本体に複数設けられ前記感受面と直交する方向に弾性変形可能で前記単一のねじにより前記本体が前記取り付け部に取り付けられた状態で前記取り付け部に接触して弾性変形され前記取り付け部に対して全て同一の量で弾性変形された状態で前記感受面を前記着磁面に平行させる弾性片とを備え、
前記複数の弾性片は、前記各弾性片が同一の量で弾性変形された状態で、前記ねじが挿通される前記本体の箇所に対して作用する各弾性片によるモーメントの和が零となるように構成されている、
ことを特徴とする撮像装置。
【手続補正２】
【補正対象書類名】明細書
【補正対象項目名】００１９
【補正方法】変更
【補正の内容】
【００１９】
そして、開口５４０２内にセンサ保持部６００２を挿入し、各弾性片６４Ａ、６４Ｂの先端の接触部６４０２を取り付け面５４０４に接触させ、取り付け面５４０４に対して全て同一の量で弾性変形された状態で感受面５８０２が着磁面５２０２と平行するように構成されている。
また、弾性片６４Ａ、６４Ｂは、各弾性片６４Ａ、６４Ｂが同一の量で弾性変形した状態で、中心線Ｃ２に沿った方向においてねじ６２が挿通される本体６０の箇所（ねじ挿通孔６０１０）に対して作用する各弾性片６４Ａ、６４Ｂによるモーメントの和が零となるように構成されている。
したがって、開口５４０２内にセンサ保持部６００２を挿入し、各弾性片６４Ａ、６４Ｂの先端の接触部６４０２を取り付け面５４０４に接触させ、ねじ６２をねじ孔５４１６に螺合させて弛緩緊締すると、取り付け面５４０４（取り付け部５４）に対して弾性片６４Ａ、６４Ｂは全て同一の量で弾性変形し、感受面５８０２が、着磁面５２０２と平行な状態を保ち、かつ、着磁面５２０２と直交する方向に移動されることになる。
本実施の形態では、案内溝６０１２にガイドピン５４１０が挿通され、案内孔６０１４にガイドピン５４１２が挿通されることから、着磁面５２０２に対する感受面５８０２の平行移動、すなわち、本体６０の移動がより安定してなされることになる。
なお、ねじ６２を弛緩緊締し、感受面５８０２を着磁面５２０２に対して平行移動させ、感受面５８０２と着磁面５２０２との距離を調整したならば、接着剤を用いて本体６０を取り付け部５４に固定するなど任意である。
【手続補正３】
【補正対象書類名】明細書
【補正対象項目名】００２０
【補正方法】変更
【補正の内容】
【００２０】
図７を参照して着磁面５２０２に対する感受面５８０２の平行移動についてより詳細に説明する。
図７は図６のＡ矢視図である。
ねじ６２の中心Ｃ１と弾性片６４Ａの基部（弾性片６４Ａがセンサ保持部６００２に連結された箇所）との間の距離をＬ１とし、ねじ６２の中心Ｃ１と弾性片６４Ｂの基部（弾性片６４Ｂがセンサ保持部６００２に連結された箇所）との間の距離をＬ２とし、弾性片６４Ａの基部と弾性片６４Ａの接触部６４０２が取り付け面５４０４に接触する箇所との間の距離をＬ３とし、弾性片６４Ｂの基部と弾性片６４Ｂの接触部６４０２が取り付け面５４０４に接触する箇所との間の距離をＬ４とする。
また、弾性片６４Ａの断面２次モーメントをＩａとし、弾性片６４Ｂの断面２次モーメントをＩｂとし、弾性片６４Ａ、６４Ｂを構成する材料の縦弾性計数をＥとし、弾性片６４Ａの撓み量をＹａとし、弾性片６４Ｂの撓み量をＹｂとし、ねじ挿通孔６０１０（単一のねじ６２が挿通される箇所）の中心Ｃ１に作用する２つの弾性片６４ＡによるモーメントをＡとし、ねじ６２（単一のねじ６２が挿通される箇所）の中心Ｃ１に作用する１つの弾性片６４ＢによるモーメントをＢとする。
すると、各モーメントＡ、Ｂは式（１）、式（２）で示される。
Ａ＝２×（３×Ｅ×Ｉａ×Ｙａ／Ｌ３３）×Ｌ１                    （１）
Ｂ＝（３×Ｅ×Ｉｂ×Ｙｂ／Ｌ４３）×Ｌ２                        （２）
ここで、モーメントＡ、Ｂが釣り合うためには、Ａ＝Ｂを満たせばよいので、
２×（３×Ｅ×Ｉａ×Ｙａ／Ｌ３３）×Ｌ１＝
（３×Ｅ×Ｉｂ×Ｙｂ／Ｌ４３）×Ｌ２        （３）
式（３）を整理すると、
２×（Ｉａ×Ｙａ／Ｌ３３）×Ｌ１＝（Ｉｂ×Ｙｂ／Ｌ４３）×Ｌ２  （４）
したがって、式（４）を満たせばモーメントＡ、Ｂの釣り合いが取れる。すなわち、中心線Ｃ２に沿った方向においてモーメントＡ、Ｂの和が零となる。
なお、弾性片６４Ａと弾性片６４Ｂのたわみ量が等しく（Ｙａ＝Ｙｂ）、かつ、弾性片６４Ａと弾性片６４Ｂの断面形状が同一（Ｉａ＝Ｉｂ）であれば、式（４）は、
２×Ｌ３３×Ｌ１＝Ｌ４３×Ｌ２                                  （５）
と簡単になる。
【手続補正４】
【補正対象書類名】図面
【補正対象項目名】図７
【補正方法】変更
【補正の内容】
【図７】
2007121734.tif 000001